(57)【要約】【課題】マイナスドライバの刃部をマイナスネジの頭部の溝部内に簡単に案内することを実現しつつ、案内した際に、マイナスドライバの刃部の回転軸とマイナスネジの回転軸とを一致させることを実現する。【解決手段】ネジ１は、軸部２と、工具が挿入される直線形状の溝部１１が一端面１０ａに形成され、他端面１０ｂから軸部２が伸びる頭部１０と、を有し、溝部１１は、前記一端面１０ａの位置で幅広に開口され前記他端面１０ｂに向うほど幅が狭くなるＶ字形状の断面を有し、溝部１１の底部１１ｃには、頭部１０の中心軸と工具が操作されるときの当該工具の回転中心軸とを合致させるための位置決め部１２が形成されている。【選択図】図１
2014119037.tif 000002
【特許請求の範囲】
【請求項１】
軸部と、
工具が挿入される直線形状の溝部が一端面に形成され、他端面から前記軸部が伸びる頭部と、を有し、
前記溝部は、前記一端面の位置で幅広に開口され前記他端面に向うほど幅が狭くなるＶ字形状の断面を有し、
前記溝部の底部は、前記頭部の中心軸と前記工具が操作されるときの当該工具の回転中心軸とを合致させるための位置決め部を有していることを特徴とするネジ。
【請求項２】
前記位置決め部は、前記頭部の中心軸に直交する方向に延びる前記底部に交差しかつ前記頭部の中心軸を通る溝であることを特徴とする請求項１に記載のネジ。
【請求項３】
前記位置決め部は、前記溝部が前記頭部の中心軸の位置で最も深くなるように形成されて構成される前記底部であることを特徴とする請求項１又は２に記載のネジ。
【発明の詳細な説明】
【技術分野】
【０００１】
本発明は、ネジに関する。
【背景技術】
【０００２】
従来より、工具の刃部が挿入される溝部に、当該溝部の底に向かって傾いている傾斜面を有するネジが知られている（例えば特許文献１参照）。
【先行技術文献】
【特許文献】
【０００３】
【特許文献１】国際公開第２００４／０６５０６７号
【発明の概要】
【発明が解決しようとする課題】
【０００４】
ところで、直線形状の溝部を有するマイナスネジの当該溝部を、その底面に向かって傾く傾斜面を有るように形成することも考えられる。この場合、マイナスネジの頭部の溝部内にマイナスドライバの刃部を簡単に案内することが実現できる。
しかし、マイナスドライバの刃部をマイナスネジの頭部の溝部内に案内した際に、マイナスドライバの刃部の回転軸とマイナスネジの回転軸とを一致させておかないと、マイナスドライバを回転操作したときに、マイナスドライバの刃部がマイナスネジの頭部の溝部から抜け出たりする等、マイナスネジをマイナスドライバで適切に回転させることができない場合がある。
【０００５】
例えば、従来、停電作業で実施しているカットアウト取替工事では、雷害等でカットアウトが破損した場合、間接活線作業によってカットアウトの取り替えを行うことがある。そして、カットアウトの破損状況によっては、マイナスドライバと同様の刃部形状を有する間接活線用先端工具でカットアウトの高圧引下線接続部のネジを操作する場合がある。しかし、この場合に、夜間や荒天時の作業環境下だと、さらに、ネジの操作に時間がかかる恐れがある。
【０００６】
本発明の目的は、マイナスドライバの刃部をマイナスネジの頭部の溝部内に簡単に案内することを実現しつつ、案内した際に、マイナスドライバの刃部の回転軸とマイナスネジの回転軸とを一致させることを実現することである。
【課題を解決するための手段】
【０００７】
前記課題を解決するために、本発明の一態様は、軸部と、工具が挿入される直線形状の溝部が一端面に形成され、他端面から前記軸部が伸びる頭部と、を有し、前記溝部は、前記一端面の位置で幅広に開口され前記他端面に向うほど幅が狭くなるＶ字形状の断面を有し、前記溝部の底部は、前記頭部の中心軸と前記工具が操作されるときの当該工具の回転中心軸とを合致させるための位置決め部を有していることを特徴とするネジを提供する。
【発明の効果】
【０００８】
本発明の一態様によれば、ネジは、マイナス字形状の刃部を頭部の溝部内に簡単に案内することを実現しつつ、案内した際に、刃部の回転軸と当該ネジの回転軸とを一致させることを実現できる。
【図面の簡単な説明】
【０００９】
【図１】第１の実施形態に係るネジの一例を示す斜視図である。
【図２】第１の実施形態に係るネジの一例を示す平面図である。
【図３】第１の実施形態に係るネジを操作するための工具となる間接活線用先端工具の一例を示す正面図である。
【図４】第２の実施形態に係るネジの一例を示す斜視図である。
【図５】第２の実施形態に係るネジの一例を示す平面図である。
【図６】第２の実施形態に係るネジの一例を示す正面図である。
【図７】第２の実施形態に係るネジを操作するための工具となる間接活線用先端工具の一例を示す正面図である。
【発明を実施するための形態】
【００１０】
本発明の実施形態の一態様としては、ネジが、軸部と、工具が挿入される直線形状の溝部が一端面に形成され、他端面から前記軸部が伸びる頭部と、を有し、前記溝部は、前記一端面の位置で幅広に開口され前記他端面に向うほど幅が狭くなるＶ字形状の断面を有し、前記溝部の底部は、前記頭部の中心軸と前記工具が操作されるときの当該工具の回転中心軸とを合致させるための位置決め部を有していることに加えて、次の構成を備えた態様でも良い。
【００１１】
第１の他の態様としては、前記位置決め部は、前記頭部の中心軸に直交する方向に延びる前記底部に交差しかつ前記頭部の中心軸を通る溝であっても良い。この態様では、ネジは、簡単な形状によって位置決め部を実現する。
【００１２】
第２の他の態様としては、前記位置決め部は、前記溝部が前記頭部の中心軸の位置で最も深くなるように形成されて構成される前記底部であっても良い。この態様では、ネジは、簡単な形状によって位置決め部を実現する。
【００１３】
（本実施形態の詳細な説明）
以下、図面を参照して、本実施形態について詳細に説明する。
（第１の実施形態）
第１の実施形態では、ネジを挙げている。例えば、ネジは、カットアウト用間接活線ネジ（例えば、高圧引下線接続部のネジ）である。
【００１４】
図１及び図２には、第１の実施形態に係るネジ１の一例を示す。ここで、図１は、ネジ１の斜視図である。また、図２は、ネジ１の平面図である。
図１及び図２に示すように、ネジ１は、一般的なネジと同様の基本構成として、軸部２と頭部１０とを有している。
【００１５】
軸部２は、所定の長さを有している。そして、軸部２の一端に頭部１０が設けられている。
頭部１０は、略円柱形状をなしている。例えば、この頭部１０は、カットアウトに収まる範囲内で最も大きい形状とされている。そして、この頭部１０は、一端面（いわゆる、頂面）１０ａに工具の刃部が挿入される溝部１１が形成され、他端面１０ｂから軸部２が伸びている。
【００１６】
溝部１１は、頭部１０の中心軸に対して直交する方向に延びる直線形状の溝をなす。そして、溝部１１は、断面が略Ｖ字形状、より具体的には略フレア形状をなしている。具体的には、溝部１１は、一端面１０ａの位置で幅広に開口され、他端面１０ｂに向うほどその幅が狭くなる。そして、溝部１１は、略長方形形状の底面１１ａを有し、その幅が底面１１ａで最小となっている。さらに、溝部１１は、一端面１０ａから底面１１ａに向かう側面１１ｂが対向する相手の側面１１ｂに向って凸になる湾曲形状をなすことで、略フレア形状の断面を有している。
【００１７】
さらに、溝部１１には、工具を位置決めするための位置決め部１２が底部１１ｃに形成されている。位置決め部１２は、具体的には、頭部１０の中心軸に直交する方向に延びる底部１１ｃに交差しかつ頭部１０の中心軸を通る凹溝である。溝部１１の底部１１ｃの中間部位は、このような凹溝である位置決め部１２によって、略プラス字（「＋」字）形状をなしている。
【００１８】
（作用等）
次に、このようなネジ１を用いることによる作用等の一例について説明する。
図３には、ネジ１を操作するための工具となる間接活線用先端工具１０１の一例を示す。
図３に示すように、間接活線用先端工具１０１は、間接活線用共用操作棒１００の先端に取り付けられている。間接活線用先端工具１０１は、マイナスドライバと同様のマイナス字（「−」字）形状の刃部１０１ａを有している。ここで、刃部１０１ａの先端面１０１ｂは平坦面として形成されている。そして、この間接活線用先端工具１０１は、刃部１０１ａの先端の中間部位に、当該先端に垂直な方向に突出している凸部１０１ｃを有する。これによって、間接活線用先端工具１０１の中間部位は、略プラス字形状をなしている。
【００１９】
このような間接活線用先端工具１０１の刃部１０１ａを、ネジ１の頭部１０の溝部１１の側面１１ｂに沿って溝部１１内に案内できるため、間接活線用先端工具１０１の刃部１０１ａは、ネジ１の頭部１０の溝部１１内に容易かつ確実に挿入されるようになる。さらに、間接活線用先端工具１０１の刃部端部の中間部位が凸部１０１ｃによって略プラス字形状をなし、これに対応して、ネジ１の底部１１ｃの中間部位も位置決め部１２によって略プラス字形状をなしている。これによって、間接活線用先端工具１０１の刃部１０１ａをネジ１の頭部１０の溝部１１内に挿入した際に、間接活線用先端工具１０１の回転軸とネジ１の回転軸とを一致させることができる。
【００２０】
（第２の実施形態）
第２の実施形態では、溝部が、頭部の中心軸の位置で最も深くなるように形成されている。なお、第２の実施形態について、前述の第１の実施形態と同様な構成については同一の符号を付して説明する。
【００２１】
（構成）
図４乃至図６には、第２の実施形態に係るネジ１の一例を示す。ここで、図４は、ネジ１の斜視図である。また、図５は、ネジ１の平面図である。また、図６は、ネジ１の側面図である。
【００２２】
図４乃至図６に示すように、底部１１ｃに凹溝を形成することに換えて、溝部１１が頭部１０の中心軸の位置で最も深くなるように形成されることで、底部１１ｃが位置決め部を実現している。具体的には、溝部１１の底面１１ａが、頭部１０の他端面１０ｂ側に凹んでいる湾曲形状に形成されることで、溝部１１は頭部１０の中心軸の位置で最も深くなっている。
【００２３】
以上は、第２の実施形態における構成であるが、第２の実施形態のその他の構成は、前述の第１の実施形態の構成と同様である。
（作用等）
次に、このようなネジ１を用いることによる作用等の一例について説明する。
【００２４】
図７には、ネジ１の工具となる間接活線用先端工具１０１の一例を示す。
図７に示すように、間接活線用先端工具１０１は、マイナスドライバと同様のマイナス字（「−」字）形状の刃部１０１ａを有している。そして、第２の実施形態に係る間接活線用先端工具１０１は、刃部１０１ａの先端面１０１ｂが湾曲している。
【００２５】
このような間接活線用先端工具１０１の刃部１０１ａを、ネジ１の頭部１０の溝部１１の側面１１ｂに沿って溝部１１内に入れることができるため、間接活線用先端工具１０１の刃部１０１ａは、ネジ１の頭部１０の溝部１１内に容易かつ確実に挿入されるようになる。さらに、第２の実施形態では、間接活線用先端工具１０１は、刃部１０１ａの先端面１０１ｂがネジ１の溝部１１の底面１１ａと合致するように湾曲していることで、その回転軸がネジ１の回転軸と一致するようになる。
【００２６】
（本実施形態の変形例等）
本実施形態は、カットアウト用間接活線ネジに適用されることに限定されない。すなわち例えば、本実施形態は、一般的に使用されるネジに適用されても良い。この場合、ネジ１を回転操作するための工具は、一般的に使用されるドライバとなる。
【００２７】
また、本実施形態では、溝部１１の側面１１ｂは、頭部１０の中心軸の周方向で湾曲していても良い。
また、本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００２８】
１  ネジ、２  軸部、１０  頭部、１１  溝部、１１ａ  底面、１１ｂ  側面、１１ｃ  底部、１２  位置決め部
【図１】
2014119037.tif 000003
【図２】
2014119037.tif 000004
【図３】
2014119037.tif 000005
【図４】
2014119037.tif 000006
【図５】
2014119037.tif 000007
【図６】
2014119037.tif 000008
【図７】
2014119037.tif 000009